(57)【要約】      （修正有）【課題】膝関節の屈曲・伸展何れの運動にも対応でき、しかも膝関節の運動による発汗に対応して蒸れることがない膝関節用サポーターの提供を課題とする。【解決手段】縦・横２方向に伸縮する通気性に優れたトリコットメッシュ生地で裁断形成した膝関節周縁前面を保護する前身頃片と、縦・横２方向に伸縮する通気性に優れたトリコットメッシュ生地で裁断形成した膝関節周縁後面を保護する後身頃片とを、それぞれの両側部を逢着して形成する。【選択図】図１
2007239158.tif 000002
【特許請求の範囲】
【請求項１】
縦・横２方向に伸縮するトリコット生地で裁断形成した膝関節周縁前面を保護する前身頃片と、縦・横２方向に伸縮する通気性に優れたトリコットメッシュ生地で裁断形成した膝関節周縁後面を保護する後身頃片とを、それぞれの両側部を逢着して形成したことを特徴とする膝関節用サポーター。
【請求項２】
前身頃片が上片と下片の端部を逢着して形成される請求項１記載の膝関節用サポーター。
【請求項３】
前身頃片の下部にレーヨン生地からなる膝当て片を逢着した請求項１記載の膝関節用サポーター。
【請求項４】
膝当て片に緩衝材を装着した請求項１記載の膝関節用サポーター。
【請求項５】
縦・横２方向に伸縮するトリコット生地で裁断形成した膝関節周縁前面を保護する前身頃片と、縦・横２方向に伸縮する通気性に優れたトリコットメッシュ生地で裁断形成した膝関節周縁後面を保護する後身頃片とを、それぞれの両側部を逢着して形成した膝関節用サポータにおいて、上片を上端部がその中心を頂点とした凸状となり、下端部がその中心を頂点とした凹状となり、両側部が上端部から下端部にかけて適宜な縮径状となるように裁断形成し、下片を下端部がその中央を頂点とした凸状となり、上端部がその中心を頂点とした凹状となり、両側部が下端部から上端部にかけて適宜な縮径状となるように裁断形成し、上記上片と下片はその下端部と上端部を逢着して前身頃片を形成し、更に後身頃片を裁断形成し、上記前身頃片と後身頃片の両側部を逢着することを特徴とする膝関節用サポーターの製造方法。
【請求項６】
本体前身頃片の下部にレーヨン生地からなる膝当て片を逢着した請求項５記載の製造方法。
【請求項７】
膝当て片に緩衝材を装着した請求項６記載の製造方法。
【発明の詳細な説明】
【技術分野】
【０００１】
この発明は、膝関節の後身頃において通気性に優れ、且つ膝関節の伸展及び屈曲運動時において肌に密着対応できる膝関節用サポーターとその製造方法に関する。
【背景技術】
【０００２】
従来膝関節用サポーターとして立体裁断タイプのものは、図４に示すように膝関節を若干（１０〜１５度程度）屈曲した位置で最もフィットするように設計されており、このため本体後身頃片４は上片4aと下片4bに分けて裁断形成した後、上片4aと下片4bは後方に所定の角度を持たせてその下端部と上端部を逢着して本体後身頃片を形成し、本体後身頃片４の両側部を一体裁断形成された本体前身頃片１の両側部に逢着させて作られていた。
【０００３】
その他、膝関節用サポーターとしてシームレスタイプのものも数多く提案されている（特開平9-285587号、特開2005-185629、実開昭56-11879、実用新案登録第3055723号）
【特許文献１】特開平9-285587号、特開2005-185629、実開昭56-11879、実用新案登録第3055723号
【発明の開示】
【発明が解決しようとする課題】
【０００４】
しかし、従来の立体裁断タイプの膝関節用サポーターにおいては、膝関節の屈曲・伸展運動を繰り返すことによりサポーター本体が膝関節の動きに追随できず大腿部より下方に向かってズレ落ちたり、サポーター本体にしわが生ずるなどの欠点がある。
【０００５】
また、本体後身頃上片と下片の逢着部分が膝の曲げ伸ばしの際に膝の内側に食い込むため違和感を生ずるなどの欠点がある。
【０００６】
一方、シームレスタイプの膝関節用サポーターにおいては、大腿部から下腿部に向かって先細りの形状であるために膝関節の屈曲・伸展運動を繰り返すことによりサポーター本体が膝関節の動きに追随できず大腿部より下方に向かってズレ落ちたり、サポーター本体にしわが生ずるなどの欠点がある。
【０００７】
更に、従来の立体裁断タイプ、シームレスタイプの膝関節用サポーター何れにおいても、後身頃部分は通気性のない材質で構成されているため、膝関節の運動による発汗に対応することができないという欠点がある。
【課題を解決するための手段】
【０００８】
この発明は、上記実情に鑑み、縦・横２方向に伸縮するトリコット生地で裁断形成した膝関節周縁前面を保護する前身頃片と、縦・横２方向に伸縮する通気性に優れたトリコットメッシュ生地で裁断形成した膝関節周縁後面を保護する後身頃片とを、それぞれの両側部を逢着して形成した膝関節用サポーターとその製造方法を提案するものである。
【発明の効果】
【０００９】
即ち、この発明では後身頃片として縦・横２方向に伸縮する通気性に優れたトリコットメッシュ生地を使用しているため、膝関節の運動による発汗に対応して蒸れることがない。
【００１０】
また、この発明では前身頃片と後身頃片を縦・横２方向に伸縮するトリコット生地を使用するため、膝関節の伸展位置（０度位置）から屈曲位置（２０度程度）まで伸展することができ、したがって膝関節の屈曲・伸展何れの運動にも対応できる。
【００１１】
更に、膝関節の伸展から屈曲運動時には前身頃片の生地が大腿部・下腿部前面の肌に効果的に密着し、逆に屈曲から伸展運動時には後身頃片の生地が大腿部・下腿部後面の肌に効果的に密着するので、この発明においてはサポーター本体と肌との密着が極めて高くなる。
【００１２】
また、この発明に係わるサポーターでは後身頃片が一体裁断形成され、無逢着であるため、膝の曲げ伸ばしの際に逢着部分が膝の内側に食い込んで違和感を生ずるようなことはない。
【００１３】
更に、前身頃片の下部に摩擦に強いレーヨン生地からなる膝当て片を逢着すれば、サポーター本体との摩擦接触が考えられる床・グランド等における運動にも対応できる。
【００１４】
なお、膝当て片にはその前面或いは内面に緩衝材を装着すれば、摩擦接触の際の衝撃を和らげることができる。
【００１５】
この他、この発明に係わるサポーターは既存のパッド付サポーターの下に装着するようにしてもよい。
【００１６】
一方、この発明に係わるサポーターにおいて大腿部・下腿部前面の肌へのフイット感をを高めるためには、上片と下片を別々に裁断形成してその端部を逢着して形成された前身頃片を使用することが好ましい。
【００１７】
更に、フイット感を高めるサポーターの製造方法としては、上片を上端部がその中心を頂点とした凸状となり、下端部がその中心を頂点とした凹状となり、両側部が上端部から下端部にかけて適宜な縮径状となるように裁断形成し、下片を下端部がその中央を頂点とした凸状となり、上端部がその中心を頂点とした凹状となり、両側部が下端部から上端部にかけて適宜な縮径状となるように裁断形成し、上記上片と下片はその下端部と上端部を逢着して前身頃片を形成し、更に後身頃片を裁断形成し、上記前身頃片と後身頃片の両側部を逢着する方法を挙げることができる。
【発明を実施するための最良の形態】
【００１８】
縦・横２方向に伸縮するトリコット生地で裁断形成した膝関節周縁前面を保護する前身頃片と、縦・横２方向に伸縮する通気性に優れたトリコットメッシュ生地で裁断形成した膝関節周縁後面を保護する後身頃片とを、それぞれの両側部を逢着して形成した膝関節用サポータにおいて、上片を上端部がその中心を頂点とした凸状となり、下端部がその中心を頂点とした凹状となり、両側部が上端部から下端部にかけて適宜な縮径状となるように裁断形成し、下片を下端部がその中央を頂点とした凸状となり、上端部がその中心を頂点とした凹状となり、両側部が下端部から上端部にかけて適宜な縮径状となるように裁断形成し、上記上片と下片はその下端部と上端部を逢着して前身頃片を形成し、更に後身頃片を裁断形成し、上記前身頃片と後身頃片の両側部を逢着して製造する膝関節用サポーターとその製造方法。
【実施例１】
【００１９】
以下、この発明を図示の実施例に基づいて説明すると、１は縦・横２方向に伸縮するトリコット生地で裁断形成した膝関節周縁前面を保護する前身頃片、２は前身頃片１を構成する上片、３は前身頃片１を構成する下片である。
【００２０】
上片２は上端部2aがその中心を頂点とした凸状となり、下端部2bがその中心を頂点とした凹状となり、両側部2cが上端部2aから下端部2bにかけて適宜な縮径状となるように裁断形成される。
【００２１】
下片３は下端部3aがその中央を頂点とした凸状となり、上端部3bがその中心を頂点とした凹状となり、両側部3cが下端部から上端部にかけて適宜な縮径状となるように裁断形成される。
【００２２】
前身頃片１は、上片２の下端部2bと下片３の上端部3bを逢着して形成され、その両側部は上片の両側部2cと下片の両側部3cで構成される。
【００２３】
一方、４は縦・横２方向に伸縮する通気性に優れたトリコットメッシュ生地で裁断形成した膝関節周縁後面を保護する後身頃片で、後身頃片４はその両側部4aを前身頃片１の両側部2c,3cに逢着して筒状のサポーター本体５を形成する。
【００２４】
なお、この実施例では前身頃片２の下部にはレーヨン生地より構成される釣鐘型の膝当て片６が逢着され、膝当て片６と前身頃片１の間には緩衝材７が内蔵されている。
【００２５】
この発明は以上のように構成されるが、後身頃片４として縦・横２方向に伸縮する通気性に優れたトリコットメッシュ生地を使用しているため、膝関節の運動による発汗を素早く発散させることができる。
【００２６】
また、前身頃片１と後身頃片４を縦・横２方向に伸縮するトリコット生地を使用するため、膝関節の屈曲・伸展何れの運動にも対応できる。
【００２７】
更に、膝関節の伸展から屈曲運動時には前身頃片の生地が大腿部・下腿部前面の肌に効果的に密着し、逆に屈曲から伸展運動時には後身頃片の生地が大腿部・下腿部後面の肌に効果的に密着するので、サポーター本体５と肌との密着が極めて高くなる。
【００２８】
また、サポーター本体５では後身頃片４が一体裁断形成され、無逢着であるため、膝の曲げ伸ばしの際に逢着部分が膝の内側に食い込んで違和感を生ずるようなことはない。
【００２９】
なお、この実施例では前身頃片１の下部に摩擦に強いレーヨン生地からなる釣鐘型の膝当て片６を逢着し、更に膝当て片６内には緩衝材７を内蔵するため、床・グランド等における運動にも対応できる。
【００３０】
また、上述のような形状の上片２と下片３の下端部2bと上端部3bを逢着して前身頃片１を形成することにより膝関節周縁前面にフイットしたサポーター本体５を製造することができる。
【産業上の利用可能性】
【００３１】
以上要するに、この発明によればて膝関節の屈曲・伸展何れの運動にも対応でき、しかも膝関節の運動による発汗に対応して蒸れることがない膝関節用サポーターを提供できる。
【図面の簡単な説明】
【００３２】
【図１】この発明に係わる膝関節用サポーターの側面図
【図２】この発明に係わる膝関節用サポーターの製造例を示す図
【図３】この発明に係わる膝関節用サポーター装着状態の側面図
【図４】従来の立体裁断タイプの膝関節用サポーターの側面図
【符号の説明】
【００３３】
１は前身頃片
２は前身頃片の上片
３は前身頃片の下片
４は後身頃片
５はサポーター本体
６は膝当て片
７は緩衝材
【図１】
2007239158.tif 000003
【図２】
2007239158.tif 000004
【図３】
2007239158.tif 000005
【図４】
2007239158.tif 000006